(57)【要約】  【課題】外箱と発泡断熱材とを強固に接着した冷蔵庫を提供することを目的とする。  【解決手段】外箱１１と内箱１２の空間部１３に発泡断熱材１４が充填されてなる冷蔵庫１０において、空間部１３に発泡断熱材１４が充填される前に、外箱１１の発泡断熱材１４が接する面に切削によって細かな溝を多数刻み、切削を施した面１６にアルコールを塗布し、発泡断熱材１４を充填することで断熱材と外箱面との接触面積が増大し、アルコールを塗布することで外箱表面の不純物を除去できるので、外箱と断熱材の密着性を強固にすることができる。【選択図】図２
2008151358.tif 000002
【特許請求の範囲】
【請求項１】
外箱と内箱の空間部に発泡断熱材が充填されてなる冷蔵庫において、前記外箱の前記発泡断熱材が接する面に微細溝を形成し、前記微細溝の面に揮発性洗浄剤を塗布し、前記発泡断熱材を充填することを特徴とする冷蔵庫。
【請求項２】
前記揮発性洗浄剤にゴム系の接着剤を混入し、発泡断熱材が接触する外箱の面に接着層を備えたことを特徴とする請求項１に記載の冷蔵庫。
【請求項３】
外箱と内箱の空間部に発泡断熱材が充填されてなる冷蔵庫において、前記発泡断熱材が接触する前記外箱の面に使用する材料に、潤滑処理を施さない鋼板を用いたことを特徴とする冷蔵庫。
【請求項４】
外箱と内箱の空間部に発泡断熱材が充填されてなる冷蔵庫において、前記発泡断熱材が接触する前記外箱の面に使用する材料に、シリコン系及びワックス系成分を添加しない処理を施した鋼板を用いたことを特徴とする冷蔵庫。
【請求項５】
外箱と内箱の空間部に発泡断熱材が充填されてなる冷蔵庫において、前記外箱の前記発泡断熱材が接する面にコロナ処理を行い、前記発泡断熱材を充填することを特徴とする冷蔵庫。
【発明の詳細な説明】
【技術分野】
【０００１】
本発明は、発泡断熱材と外箱との密着性を高めた冷蔵庫に関するものである。
【背景技術】
【０００２】
従来、この種の冷蔵庫として、外箱の発泡断熱材と接する側に接着層を設けたものが知られている（例えば、特許文献１参照）。
【０００３】
図５は特許文献１に記載された従来の冷蔵庫の外箱の要部断面図である。
【０００４】
内箱と外箱の空間部に発泡ポリウレタン断熱材が充填されてなる冷蔵庫で、外箱１の発泡ポリウレタン断熱材４とが接する面２の一部に熱溶融性を有する接着層３を設けた冷蔵庫が知られている。
【０００５】
このような冷蔵庫の場合、発泡ポリウレタン断熱材はウレタン形成時に発熱反応するため、内箱または外箱に塗布されたホットメルト接着剤が溶融し、外箱と発泡ポリウレタン断熱材、内箱と発泡ポリウレタン断熱材とがホットメルト接着剤を介して強固に接着する。このため本発明の冷蔵庫は、冷蔵庫は個体として充分な強度を有する。
【特許文献１】特開平５−１９６３４６号公報
【発明の開示】
【発明が解決しようとする課題】
【０００６】
しかしながら、上記従来の構成では、ホットメルト接着剤と発泡ポリウレタン断熱材は強固に接着されるものの、外箱とホットメルト接着剤とが強固に接着されにくく、外箱から接着層がはがれるという課題を有していた。
【０００７】
本発明は、上記従来の課題を解決するもので、外箱と断熱材とを強固に接着した冷蔵庫を提供することを目的とする。
【課題を解決するための手段】
【０００８】
上記従来の課題を解決するために、本発明の冷蔵庫は、外箱と内箱の空間部に発泡断熱材が充填されてなる冷蔵庫において、前記外箱の前記発泡断熱材が接する面に微細溝を形成し、前記微細溝の面に揮発性洗浄剤を塗布し、前記発泡断熱材を充填するものである。
【０００９】
これにより、発泡断熱材充填後、外箱と発泡断熱材とは洗浄された微細溝の面を介して強固に接着する。
【発明の効果】
【００１０】
本発明の冷蔵庫は、外箱と断熱材との密着性を高め、冷蔵庫の外観品質を確保し、外箱と断熱材との間の空間層を低減できるので、外観品質を向上することが出来る。
【発明を実施するための最良の形態】
【００１１】
請求項１に記載の発明は、外箱と内箱の空間部に発泡断熱材が充填されてなる冷蔵庫において、前記外箱の前記発泡断熱材が接する面に微細溝を形成し、前記微細溝の面に揮発性洗浄剤を塗布し、前記発泡断熱材を充填するものであり、前記発泡断熱材充填後、前記外箱と前記発泡断熱材とは洗浄された微細溝の面を介して強固に接着し、冷蔵庫の外観品質を向上することが出来る。
【００１２】
請求項２に記載の発明は、請求項１に記載の発明において、前記揮発性洗浄剤にゴム系の接着剤を混入し、前記発泡断熱材が接触する外箱の面に接着層を備えたものであり、外箱面から接着剤がはじかれるのを防止し、前記外箱の全面に塗布することができるので、前記外箱と前記発砲断熱材との間に、前記接着層を全面に形成することができるので、不要なスペースが形成されず、前記発泡断熱材から発生する発砲ガスがスペースに溜まることはなく、冷蔵庫の外観品質を確保できるとともに、外箱表面の結露の防止など性能品質を確保することができる。
【００１３】
請求項３に記載の発明は、外箱と内箱の空間部に発泡断熱材が充填されてなる冷蔵庫において、前記発泡断熱材が接触する前記外箱の面に使用する材料に、潤滑処理を施さない鋼板を用いたものであり、プレス加工時に疵付き防止として塗布している潤滑処理を施さない鋼板を用いることにより、潤滑処理に使用する樹脂量が低減できるとともに、潤滑皮膜を施さない面は表面粗度が粗くなることで、低コストで外箱と断熱材の密着性を強固にすることができる。
【００１４】
請求項４に記載の発明は、外箱と内箱の空間部に発泡断熱材が充填されてなる冷蔵庫において、前記発泡断熱材が接触する外箱の面に使用する材料に、シリコン系及びワックス系成分を添加しない処理を施した鋼板を用いたものであり、前記発泡断熱材が前記シリコン系、ワックス系成分の影響で発泡断熱材に集まってなるセルを破砲しないで、発泡することが可能となり、発泡断熱材以外に接着するテープ材料の接着性も向上し、性能品質を確保することができる。
【００１５】
請求項５に記載の発明は、外箱と内箱の空間部に発泡断熱材が充填されてなる冷蔵庫において、前記外箱の前記発泡断熱材が接する面にコロナ処理を行い、前記発泡断熱材を充填するものであり、前記発泡断熱材が充填される外箱面に親水性の皮膜を形成できるので、発泡断熱材充填時の流動性を高め、空間部内に万遍なく断熱材を充填することができ、不要なスペースを低減し、断熱材から発生する発泡ガス溜まりとなることを低減でき冷蔵庫の外観品質を向上し、断熱性を確保できる。
【００１６】
（実施の形態１）
図１は、本発明の実施の形態１による冷蔵庫の概略図である。図２は、図１の外箱の要部断面図である。
【００１７】
図１、図２において冷蔵庫１０は塗装された鋼板で形成された外箱１１と、樹脂製の内箱１２と、外箱１１と内箱１２の間の空間部１３に充填される発泡断熱材１４によって断熱筐体が形成されている。発泡断熱材１４は地球温暖化に配慮したシクロペンタンを発泡ガスとして用いている。
【００１８】
外箱１１の裏面側（発泡断熱材１４と接する側）はヤスリ等の切削によって、外箱１１の裏面に細かな溝が多数出来るように全面をほぼ万遍なく削って微細溝を形成した切削面１６を有している。そして切削面１６に、揮発性洗浄剤であるアルコール系溶剤を塗布することで、不純物やごみ等を除去し、その後、発泡断熱材を充填する。これによって、発泡断熱材１４が接する外箱１１の表面積を増大させ、かつ接触面における接着力を増大させる。
【００１９】
またアルコール系溶剤により、表面の不純物を除去することができるので、さらに外箱１１と発泡断熱材１４の接着力を強固にすることができる。
【００２０】
したがって、外箱１１と発泡断熱材１４との間に不要なスペースができないので、発泡断熱材１４から発生する発泡ガスがスペースに溜まることはなく、冷蔵庫の外観品質を向上させるとともに、外箱１１面の結露発生を低減でき、さらに断熱性を確保できるので性能品質を向上させることができる。
【００２１】
またアルコール系溶剤にゴム系の接着剤を配合しているので、外箱１１に接着剤を塗布したときに、接着層１７を外箱全面に形成することができる。したがって外箱１１と発泡断熱材１４の間に接着層１７が全面に形成されているので、さらに外箱１１と発泡断熱材１４の接着力を高めることができる。
【００２２】
またアルコール系溶剤の配合により、ゴム系の接着剤は外箱１１面にはじかれることがなく、全面に接着層１７を形成できるので、外箱１１と発泡断熱材１４の間に不要なスペースを形成することはなく、冷蔵庫の外観品質や性能品質を確保することができる。
【００２３】
なお、外箱１１の発泡断熱材１４が接する側は、シリコン系及びワックス系成分を添加しない処理を施した鋼板を用いている。これにより、潤滑皮膜１８にシリコン、ワックス系成分が配合されていないので、発泡断熱材がシリコン系、ワックス系成分の影響で発泡断熱材に集まってなるセルを破砲しないで、発泡することが可能となり、外箱１１のテープ材料の接着性が向上するので、表面結露防止のためにアルミテープを強固に接着することができる。
【００２４】
また外箱１１とアルミテープの接着性が良好であることから、アルミテープと外箱１１に隙間がなくなるので、さらに断熱性を確保できるので性能品質を向上させることができる。
【００２５】
（実施の形態２）
図３は、本発明の実施の形態２による外箱の要部断面図である。
【００２６】
外箱１１の材料をプレス加工時の疵防止のための施している潤滑性皮膜１８を片面のみに施す。そして、プレス加工する金型に表面処理を施す。そして、外箱１１の潤滑皮膜１８を施さない面を発泡断熱材１４に接触する面にくるように成形する。これによって、潤滑皮膜１８を施していない面も割れ、疵のない外箱１１ができる。また片面に潤滑皮膜１８がないので、特別な処理を行なわなくても表面粗度が粗くなることで、低コストで外箱と断熱材の密着性を強固にすることができる。
【００２７】
（実施の形態３）
図４は、本発明の実施の形態３による外箱の要部断面図である。
【００２８】
発泡断熱材１４が外箱１１に充填される前に、外箱１１に図３のようなコロナ処理１９を施すことで、外箱１１の裏面側に極性を有するようになり親水性を高めることができる。コロナ処理をした後に、空間部１３に発泡断熱材１４を充填することで、発泡断熱材１４の流動性を高めることができる。これによって空間部１３の中で充填部から遠い位置にある部分に発生しやすいボイドが形成されるのを低減することができ、万遍なく発泡断熱材１４を充填できるので、外観品質を確保でき、ボイドによる断熱性の低下を低減でき、性能品質を確保することができる。
【産業上の利用可能性】
【００２９】
以上のように、本発明にかかる冷蔵庫は、外箱と断熱材との密着性を高め、冷蔵庫の外観品質を確保し、外箱と断熱材との間の空間層を低減できるので、発泡断熱材を充填させて断熱筐体を形成する冷蔵庫や保冷庫にも適用できる。
【図面の簡単な説明】
【００３０】
【図１】本発明の実施の形態１による冷蔵庫の概略図
【図２】図１の外箱の要部断面図
【図３】本発明の実施の形態２による外箱の要部断面図
【図４】本発明の実施の形態３による外箱の要部断面図
【図５】従来の冷蔵庫の外箱の要部断面図
【符号の説明】
【００３１】
１０  冷蔵庫
１１  外箱
１２  内箱
１３  空間部
１４  発泡断熱材
１６  切削面
１７  接着層
１８  有機皮膜
【図１】
2008151358.tif 000003
【図２】
2008151358.tif 000004
【図３】
2008151358.tif 000005
【図４】
2008151358.tif 000006
【図５】
2008151358.tif 000007